(57)【要約】      （修正有）【課題】肌が透け難く、手触りの良いストッキングを提供する。【解決手段】ストッキングは、弾性糸の芯糸に巻糸を巻着させたカバリングヤーンによりゾッキ編みに編成される。脚部の１コース当たりの編目数が３５２以上５１２以下、脚部の長さ方向置き寸が６５ｃｍ以上８５ｃｍ以下、脚部の長さ方向伸び寸が２８０ｃｍ以上４００ｃｍ以下であることを特徴とする。脚部の１コース当たりの編目数は、４００以上４５０以下が好ましい。前記カバリングヤーンは、１８デニール以上５０デニール以下であることが好ましく、ウレタン系弾性糸をナイロン糸でカバリングした３０デニールのシングルカバリングヤーンであることが特に好ましい。【選択図】なし【特許請求の範囲】
【請求項１】
弾性糸の芯糸に巻糸を巻着させたカバリングヤーンをゾッキ編みに編成したストッキングであって、
脚部の１コース当たりの編目数が３５２以上５１２以下、
脚部の長さ方向置き寸が６５ｃｍ以上８５ｃｍ以下、
脚部の長さ方向伸び寸が２８０ｃｍ以上４００ｃｍ以下であることを特徴とするストッキング。
【請求項２】
前記カバリングヤーンは、１８デニール以上５０デニール以下である請求項１に記載のストッキング。
【請求項３】
脚部の１コース当たりの編目数が４００以上４５０以下である請求項１又は請求項２に記載のストッキング。
【請求項４】
前記カバリングヤーンは、ウレタン系弾性糸をナイロン糸でカバリングした３０デニールのシングルカバリングヤーンである請求項１から請求項３のいずれか１項に記載のストッキング。
【発明の詳細な説明】
【技術分野】
【０００１】
この発明は、カバリングヤーンをゾッキ編みして形成されるストッキングに関し、詳細には、肌が透け難く、良好な肌触りを具備することを主眼に形成されたストッキングに関する。
【背景技術】
【０００２】
女性がストッキングを選択する場合には、透明度や肌触りがポイントとなり、例えば、職場によっては透明度が高く肌が透けるものは敬遠されたり、冬場にあっては透明度の高いものは寒々しい印象を与えたりすることから、透明度の低いストッキングが好ましい場合には、タイツと呼ばれる編み糸のデニール数の大きいものが着用されている。
【０００３】
ところが、デニール数の大きい糸で編んだストッキングは、肌触りが悪く、また生地が厚手になるため季節によっては暑苦しいという問題が有る。そこで、本発明者は、肌触りが良く薄手でありながら、肌の透け難いストッキングを開発すべく鋭意検討を重ねたところ、従来のストッキングに比べ、置き寸（着用前の寸法）と着用後の寸法との差を小さくすることでストッキングの透過性を抑えることに想到する。
【０００４】
このように、置き寸（着用前の寸法）と着用後の寸法との差を小さくしたストッキングとして、例えば、特許文献１に、初期破れ率を抑制することを目的としたパンティストッキングが提案されている。特許文献１のパンティストッキングは、予めカバリングヤーンを乾熱セットにより永久伸長しておくことで、初期破れを抑制するために着用時の伸び寸を小さく抑えた場合であっても、伸縮性を確保しようとするものである。
【先行技術文献】
【特許文献】
【０００５】
【特許文献１】特開平９−２１７２０３
【発明の概要】
【発明が解決しようとする課題】
【０００６】
しかし、特許文献１のパンティストキングは、カバリング糸を予め２０〜９５％程度永久伸長させているため、肌が透けるという問題点は改善されていない。
本発明は、上記課題に鑑みてなされたものであり、肌が透け難く、手触りが良いパンティストッキング、及びストッキングの提供を目的とする。
【課題を解決するための手段】
【０００７】
上記課題を解決するためになされた発明は、弾性糸の芯糸に巻糸を巻着させたカバリングヤーンをゾッキ編みに編成したストッキングであって、脚部の１コース当たりの編目数が３５２以上５１２以下、脚部の長さ方向置き寸が６５ｃｍ以上８５ｃｍ以下、脚部の長さ方向伸び寸が２８０ｃｍ以上４００ｃｍ以下であることを特徴とする。
ここで、「脚部の長さ方向置き寸」とは、パンティストッキングにあっては、股からつま先までの置き寸をいい、脚部だけのストッキングにあっては、全長の置き寸をいうものとする。また、「脚部の長さ方向の伸び寸」とは、脚部片側に８ｋｇの長さ方向の荷重を加えて引っ張った際の寸法をいうものとする。
【０００８】
従来のパンティストッキングや脚の付け根まで覆うようなロングストッキングは、一般にシリンダーの径が４インチ〜５インチで、ゲージ数が７０〜８０ゲージの丸編み機により編成され、脚部の１コース当たりの編目数は、３５２〜５１２程度であり、長さ方向の置き寸が４０〜６０ｃｍで、伸び寸が２５０ｃｍ〜３００ｃｍ程度のものを概ね８５ｃｍ〜９５ｃｍの着用寸に伸長して着用される。
これに対し、本発明に係るストッキングでは、脚部の１コース当たりの編目数は、従来品と同じ３５２以上５１２以下とする一方で、置き寸を６５ｃｍ〜８５ｃｍとし、伸び寸を２８０〜４００ｃｍとすることで、横方向の伸び寸を従来品の範囲に抑えてストッキングのサポート力を維持しながら、置き寸から着用寸（平均的な女性では８５ｃｍ〜９５ｃｍ程度）までの伸び率を従来品に比べ小さくすることで、細い糸で編んだ場合でも着用時に肌が透けることを抑制でき、かつ細い糸を使用することで、肌触りを向上させることができる。
【０００９】
前記カバリングヤーンは、１８デニール以上５０デニール以下であることが好ましい。こうすることで、よりストッキングの透明性を抑えながら、肌触りを良くすることができる。
【００１０】
脚部の１コース当たりの編目数は、４００以上４５０以下であることが好ましい。こうすることで、足首部のフィット感を十分に確保することができる。
【００１１】
前記カバリングヤーンは、ポリウレタン糸をナイロン糸でカバリングした３０デニールのシングルカバリングヤーンであることが好ましい。こうすることで、さらにストッキングの透明性を抑えながら、ストッキングの肌触りを向上させることができる。
【発明の効果】
【００１２】
以上説明したように、本発明のストッキングによれば、肌が透けることを抑えながら、肌触りを向上させることができる。
【発明を実施するための形態】
【００１３】
以下、本発明の実施形態について説明する。本実施形態に係るストッキングは、胴部と脚部とを有するパンティストッキングであり、弾性糸からなる芯糸に巻糸をらせん状に巻回して形成されたいわゆるカバリングヤーンを、丸編み機によりゾッキ編に編成した丸編地を用いて縫製される。
【００１４】
本実施形態のストッキングに用いるカバリングヤーンとしては、特に限定されず、公知のカバリングヤーンを適宜に用いることができるが、ポリウレタンの弾性糸からなる芯糸に６ナイロンや、６６ナイロンからなる巻糸をらせん状に巻き付けたカバリングヤーンが好ましく、肌触りの観点から、シングルカバリングヤーンが特に好ましい。カバリングヤーンのデニール数は、特に限定されないが、１８ｄ（デニール）から５０ｄが好ましく、３０ｄが特に好ましい。
【００１５】
本実施形態のパンティストッキングに用いる丸編地は、釜径が４インチ〜５インチ、ゲージ数が７０〜８０ゲージで給糸口を４つ備えた丸編機を用い、全ての給糸口に同じカバリングヤーンを給糸し、全コースを当該カバリングヤーンにて天竺編に編成する。シリンダーが１回転する間に同時に４コースが編成されるところ、本実施形態では、脚部（股下からつま先まで）を９００回から１２００回シリンダーを回転させて、３６００コースから４８００コースに編成する。脚部の１コース当たりの編目数は、３５２以上５１２以下に編成することが重要で、４００以上４５０以下が好ましい。本発明のストッキングは、生地が長さ方向にあまり引っ張られない状態で着用するので、フィット感を得るためには横方向の伸縮力が重要となり、１コースの編目数が４５０を超えると横方向の伸縮力が弱まって脚に対する十分なフィット感を得られない虞があり、５１２を超えると、足首あたりが弛んでしまう虞がある。また、１コース当たりの編目数を３５２未満とすると着用時に肌が透ける虞があり、４００未満とすると幅方向の伸縮力が強すぎる虞がある。
【００１６】
こうして編成された丸編地は、プリセット、裁断、縫製、染色の各工程を経たのち、型板にセットしてスチーム熱により仕上げ整形してパンティストッキングに形成される。本実施形態のパンティストッキングは、仕上げ整形後の置き寸が６５ｃｍ以上８５ｃｍ以下に、伸び寸が２８０ｃｍ以上４００ｃｍ以下になるよう形成されている。置き寸が６５ｃｍ未満であると着用時に肌が透ける虞があり、置き寸が８５ｃｍを超えると、着用時に足に対するフィット感が損なわれる虞がある。また、置き寸が８０ｃｍを超えると、着用時にたるみ皺が発生する虞がある。そして、伸び寸が２８０ｃｍ未満であると、着用時に肌が透ける虞があり、伸び寸が４００ｃｍを超えると、着用時に足に対するフィット感が損なわれる虞がある。
【００１７】
ここで、伸び寸は、パンティストッキングの股部を錘により固定して、片足のつま先端部に８ｋｇの荷重を加えて引っ張り、伸びきったところで股部からつま先までの長さを測定したものである。
【００１８】
次に、本実施形態に係る実施例について説明する。ただし、本発明は以下の実施例により本発明の趣旨を超えて限定されるものではない。
（実施例１）
１８デニールのシングルカバリングヤーン（ＴＳ‐２２１３（芯糸はポリウレタン（旭化成社製ロイカ（登録商標））、巻糸は、６ナイロン（東レ社製、ドラフト率２．８倍、Ｔ／Ｍ１４００））を用い、永田精機社製ストッキング用丸編み機（Ｓ−４型、釜径４インチ、７５ゲージ、針数４００本）により、脚部の１コース当たりの編目数が４００となるように、また、シリンダーを１０００回転させて、脚部（股部からつま先まで）のコース数が４０００コースとなるように編成した。編成した丸編地を、通常の方法にて、裁断、縫製、染色（黒）、及び仕上げ成形してパンティストッキングに形成した。
尚、ＴＳは、ＳＣＮ（シングルカバリングヤーン）の意味で、ＴＳ−２２１３の２２は芯糸が２２デシテックス、１３は巻糸が１３デシテックスであることを示している。ドラフト率とは、カバリングヤーンの伸張倍率であり、また、Ｔ／Ｍは、カバリングヤーンの巻糸の１ｍあたりの巻き数である。
【００１９】
こうして完成したパンティストッキングを机の上に広げ、股部からつま先までの置き寸を測定したのち、胴部に錘を乗せて固定し、つま先に机の端部から吊り下げた８ｋｇの錘を連結して、伸長が止まった状態で脚部（股部からつま先まで）の伸び寸を測定した。
【００２０】
また、同様に形成したパンティストッキングを、太腿最上部からつま先までの長さが９１ｃｍ、太腿最上部の周長が５５ｃｍの脚型マネキンに、パンティストッキングの片足を股部からつま先までの寸法が日本女性の概ね平均である９０ｃｍになるよう装着して、太腿部、膝部、脹脛部、及び、足部（踝より先の部分）の透過性、肌触り、ストッキングの伸びが長さ方向に偏ることによりリング状に発生するたるみ皺の有無、及び横方向の収縮力不足による足首部の緩みを観察した。透過性の評価として、マネキンの肌色が明らかに透ける場合を×、やや透ける場合を△、殆ど透けない場合を○とした。肌触りの評価として、比較例１のパンティストッキングと比べて遜色ないと感じられる場合を○、やや劣る場合を△、非常に劣る場合を×とした。たるみ皺については、たるみ皺が殆ど発生しないものを○、着用時にたるみ皺が発生するがストッキングの偏りをなくすことでたるみ皺を解消できるものを△、たるみ皺を解消できないものを×とした。また、足首部の緩みについては、殆ど緩みが無いものを○、やや緩むものを△、はっきり緩みが観察されるものを×とした。
【００２１】
（実施例２）
シリンダーを１２００回転させて、脚部（股部からつま先まで）のコース数が４８００コースとなるように編成した以外は、実施例１と同様にして、パンティストッキングを形成し、同様に測定と観察を行った。
【００２２】
（実施例３）
３０デニールのシングルカバリングヤーン（ＴＳ‐２２２２、芯糸はポリウレタン（旭化成社製ロイカ）、巻糸は６ナイロン（東レ社製、ドラフト率２．８倍、Ｔ／Ｍ１４００））を用い、股下部の編成において、シリンダーを９００回転させて、３６００コースとなるように編成した以外は、実施例１と同様にしてパンティストッキングを形成し、同様の測定と観察を行った。
【００２３】
（実施例４）
実施例３と同じ３０デニールのシングルカバリングヤーンを用い、股下部の編成において、シリンダーを１１５０回転させて、４６００コースとなるように編成した以外は、実施例３と同様にしてパンティストッキングを形成し、同様の測定と観察を行った。
【００２４】
（実施例５）
実施例３と同じ３０デニールのシングルカバリングヤーンを用い、股下部の編成において、シリンダーを１２００回転させて、４８００コースとなるように編成した以外は、実施例３と同様にしてパンティストッキングを形成し、同様の測定と観察を行った。
【００２５】
（実施例６）
編成に４０デニールのシングルカバリングヤーン（ＴＳ２２３３（芯糸はポリウレタン（旭化成社製ロイカ）、巻糸は、６ナイロン（東レ社製、ドラフト率２．８倍、Ｔ／Ｍ１２００））を用い、股下部の編成において、シリンダーを１０００回転させて、４０００コースとなるように編成した以外は、実施例１と同様にしてパンティストッキングを形成し、同様の測定と観察を行った。
【００２６】
（実施例７）
編成に５０デニールのシングルカバリングヤーン（ＴＳ−２２４４（芯糸はポリウレタン（旭化成社製ロイカ）、巻糸は、６ナイロン（東レ社製、ドラフト率２．８倍、Ｔ／Ｍ１０００））を用い、股下部の編成において、シリンダーを９００回転させて、３６００コースとなるように編成した以外は、実施形態１と同様にしてパンティストッキングを形成し、同様の測定と観察を行った。
【００２７】
（比較例１）
股下部の編成において、シリンダーを６５０回転させて、２６００コースとなるように編成した以外は、実施形態１と同様にしてパンティストッキングを形成し、同様にして、伸び寸と透過性を観察した。
【００２８】
実施例１乃至実施例７、及び比較例１の測定、及び観察結果を下記表１に示す。
【表１】
2016102274.tif 000002
【００２９】
表１に示した結果から、１８〜５０デニールのカバリングヤーンにおいては、置き寸を６５ｃｍ以上とし、かつ伸び寸を２８０ｃｍ以上とすることで、十分に透過度を抑えられることが分かった。肌触りの観点では、カバリングヤーンは５０デニール以下が好ましく、４０デニール以下が特に好ましいことが分かった。たるみ皺は、置き数が８０ｃｍ、伸び寸が４００ｃｍを超えると発生し易くなり、８５ｃｍを超えると、着用後にストッキングの伸びを均等に調節しても、解消できないことが分かった。
【００３０】
本発明のストッキングは、上述した実施形態及び実施例に限られるものではなく、例えば、編成に、ダブルカバリングヤーンを用いることもできるし、ポリエステル等、ナイロン以外の巻糸を用いてもよい。カバリングヤーンの太さは、１８デニール未満でもよいし、５０デニールを超えてもよい。本発明は、パンティストッキングに限らず、胴部のないストッキングをも含む。